(57)【要約】【課題】タバコ樹及び人体への弊害がなく，適切な時期にわき芽抑制液の散布効果が効率良く得られる携帯型散布機を得る。【解決手段】散布液が定圧で吐出される散布機本体１、及びこの散布機本体１の吐出側に接続される給液口８と吐出ホース１０が接続される吐出ホース接続口９とを有する散布液量調整器７を備え、散布液量調整器７を，給液口８と吐出ホース接続口９との連通路に配設した電磁弁と、この電磁弁の開放時間を設定するタイマーと、このタイマー及び前記電磁弁の駆動電源とで構成し、かつ散布機本体１から散布液量調整器７に入ってくる定圧の散布液を散布液量調整器７内で瞬時開く前記電磁弁を通過させることにより吐出ホース１０の先端噴口１９から微少量スポット散布するようにしてなる。【選択図】　　　　図１
2004129623.tif 000002
【特許請求の範囲】
【請求項１】
散布液が定圧で吐出される散布機本体、及びこの散布機本体の吐出側に接続される給液口と吐出ホースが接続される吐出ホース接続口とを有する散布液量調整器を備え、
前記散布液量調整器を、前記給液口と吐出ホース接続口との連通路に配設した電磁弁と、この電磁弁の開放時間を設定するタイマーと、このタイマー及び前記電磁弁の駆動電源とで構成し、
かつ、前記散布機本体から前記散布液量調整器に入ってくる定圧の散布液を前記散布液量調整器内で瞬時開く前記電磁弁を通過させることにより前記吐出ホースの先端噴口から微少量スポット散布するようにしたことを特徴とする携帯型散布機。
【発明の詳細な説明】
【０００１】
【発明の属する技術分野】
この発明は、人が携帯して（背負式、肩掛式など）、例えばタバコ樹のわき芽を抑制するためにわき芽抑制液をタバコ樹に散布する作業に使用する携帯型散布機に関するものである。
【０００２】
【発明が解決しようとする課題】
この種のタバコ樹のわき芽抑制液散布は、タバコ樹の小さいときに、わき芽抑制液を微少量，しかもタバコ樹の葉根元のわき芽のみに上方から散布するのが効果的であることは知られている。
【０００３】
ところが、従来の散布機では、微少量のスポット散布ができないために、多めの量のわき芽抑制液散布となるだけでなく、タバコ樹に対してわき芽抑制液が広がって全面散布となって小さいタバコ樹に多量のわき芽抑制液が，特にその葉にまでかかるためにタバコ樹が異常成育することになって良くないし、また全面散布ではわき芽抑制液の広がりによって人体への薬害の心配もある。
【０００４】
そのために、しかたなく、従来ではかかる弊害が少なくなるタバコ樹が大きくなってからの時期にわき芽抑制液の散布をしているので、本来小さいときにこそ必要なわき芽の抑制にならず，わき芽抑制液の散布効果が半減するという問題点がある。
【０００５】
【課題を解決するための手段】
この発明に係る携帯型散布機はかかる問題点を解消するためになされたもので、微少量のスポット散布を可能にすることにより、タバコ樹の小さい時期にその葉根元のわき芽のみに上方からわき芽抑制液の微少量スポット散布ができるようになり、タバコ樹及び人体への弊害がなく，適切な時期にわき芽抑制液の散布効果が効率良く得られる。
【０００６】
【発明の実施の形態】
この発明の一実施の形態を図１〜図５について説明する。図１は散布機全体を示す概略図、図２は図１の散布機本体を示す図、図３は図１の散布液量調整器を示す図、図４は本機の散布作業の状態を示す図、図５は図４の部分拡大図である。
【０００７】
図１，図２において、１は背負式の散布機本体、２はわき芽抑制液などの散布液を貯蔵するタンク、３はタンク２内の散布液を吸い上げて吐出するためのポンプ、４はポンプ３を駆動するための手動操作ハンドル、５は手動操作ハンドル４による加圧力を蓄圧してポンプ３の吐出力を定圧化するためのバネ、６はポンプ３から定圧の散布液が吐出される吐出口である。
【０００８】
図１，図３において、７は散布機本体１とは別装備の散布液量調整器、８は散布機本体１の吐出口６に接続される給液口、９は吐出ホース１０が接続される吐出ホース接続口、１１は給液口８と吐出ホース接続口９とを連通する連通路、１２は連通路１１に配設した電磁弁、１３は電磁弁１２をオン操作するための信号線１４を接続する信号線接続口、１５は電磁弁１２をオフ操作するタイマー、１６は電源、１７は電源１６のスイッチ、１８は給液口８の圧力を表示する圧力計である。
【０００９】
なお、図中１９は吐出ホース１０の先端にある噴口で、その把手部２０には信号線１４により接続されるオン操作スイッチ２１を有している。
【００１０】
今、作業者は本機を背負って図４に示すように散布作業を行うのであるが、予め手動操作ハンドル４の手動操作によりポンプ駆動してポンプ３の吐出側に定圧の散布液を供給しておく。定圧になったことを散布液量調整器７の圧力計１８で確認した後、把手部２０のオン操作スイッチ２１を押すと、電磁弁１２が開き、散布液が連通路１１，吐出ホース１０を通って噴口１９から散布される。
【００１１】
このとき、電磁弁１２の開放と同時にタイマー１５が作動して瞬時（例えば０．１秒）に電磁弁１２を閉じるので、電磁弁１２を通過する散布液量は微少量（例えば２ＣＣ）となり、オン操作スイッチ２１を押す毎に噴口１９からは２ＣＣほどの微少量の散布液が定量散布される。この微少量の散布液を、図５に示すように小さい時期のタバコ樹２２の葉根元のわき芽２３のみに上方からスポット散布する。
【００１２】
このように微少量の散布液をスポット散布できるので、タバコ樹２２の小さい時期にその葉根元のわき芽２３のみに上方から散布液を微少量スポット散布できる。よって、わき芽抑制液が多量に出て広がることによる人体への弊害の心配もないし，必要な時期に必要なところに適格にわき芽抑制液の散布ができる。
【００１３】
しかも、その散布作業は噴口１９の把手部２０を握りながらそのままオン操作スイッチ２１を押すという簡単な操作で連続して微少量スポット散布が行えるので、散布回数の多い重労働の作業も精度（効率）良く疲労度少なく行える。
【００１４】
なお、散布機本体１のポンプ駆動力を以上説明した手動操作ハンドル４の手動操作によるものに変えて、図４に示すようにエンジン２４によりポンプ駆動するものとしても良いし，さらには電動力によりポンプ駆動するものとすることも可能である。
【００１５】
【発明の効果】
以上のように、この発明によれば微少量のスポット散布を可能にすることにより、タバコ樹の小さい時期にその葉根元のわき芽のみに上方からわき芽抑制液の微少量スポット散布ができるようになり、タバコ樹及び人体への弊害がなく，適切な時期にわき芽抑制液の散布効果が効率良く得られるという効果を奏する。
【図面の簡単な説明】
【図１】この発明の一実施の形態を示す散布機全体の概略図である。
【図２】図１の散布機本体を示す図である。
【図３】図１の散布液量調整器を示す図である。
【図４】この発明の一実施の形態を示す散布作業状態図である。
【図５】図４の部分拡大図である。
【符号の説明】
１　　散布機本体
６　　吐出口
７　　散布液量調整器
８　　給液口
９　　吐出ホース接続口
１０　吐出ホース
１１　連通路
１２　電磁弁
１５　タイマー
１６　電源
１９　噴口
２０　把手部
２２　タバコ樹
２３　わき芽
【図１】
2004129623.tif 000003
【図２】
2004129623.tif 000004
【図３】
2004129623.tif 000005
【図４】
2004129623.tif 000006
【図５】
2004129623.tif 000007